(57)【特許請求の範囲】
【請求項１】
本体１は上部本体１０と下部本体２０を有し、その上部本体１０の裏面１０ｃよりも下部本体２０の裏面２０ｃが表面側に位置がずれた形状で、
前記上部本体１０は、その裏面１０ｃが縦面ａに接するように取付ける取付部材２を備え、
前記下部本体２０は表面２０ａが閉塞され、裏面２０ｃが開口して吸込口５を有すると共に、周面２０ｂに放出口６を有する形状で、この下部本体２０内に送風機３、薬剤保持体４を、その送風機３を駆動することで吸込口５から空気を吸い込んで薬剤保持体４を通過して放出口６から放出されるように設けたことを特徴とする縦面取付型送風式薬剤放散装置。
【請求項２】
下部本体２０の裏面２０ｃの吸込口５に薬剤保持体４が挿入して取付けられ、その吸込口５に通気部を有する押え部材７を着脱自在に取付けることによって抜け落ちないように保持した請求項１記載の縦面取付型送風式薬剤放散装置。
【請求項３】
上部本体１０は電池収納室８を有し、この電池収納室８の蓋８ａと押え部材７が連結されて一体として着脱自在とした請求項２記載の縦面取付型送風式薬剤放散装置。
【請求項４】
下部本体２０の周面２０ｂにおける裏面２０ｃ寄りに切欠き部３０を形成し、この切欠き部３０を通して空気が吸い込みされるようにした請求項１記載の縦面取付型送風式薬剤放散装置。
【発明の詳細な説明】
【技術分野】
【０００１】
本発明は、人体の腰、建物の壁面などの縦向きの面に取付けして、殺虫剤、忌避剤、芳香剤、消臭剤、除菌剤などの揮散性の薬剤を大気に放散する縦面取付型送風式薬剤放散装置に関する。
【背景技術】
【０００２】
特許文献１に、人体の腰に取付けて使用する送風式薬剤放散装置が開示されている。
この装置は、本体内に、送風機と薬剤保持体と電池を設けて送風機を駆動することで吸込口から放出口に空気が流通し、その放出口から放出される空気とともに薬剤保持体の薬剤が大気に放散される装置で、その本体に設けたクリップを、人体のベルトに係止して腰に取付けて使用する。
【０００３】
特許文献２には、本体内に送風機、薬剤保持体、電池を設け、送風機を駆動することで本体の裏面に形成した吸込口から空気を吸い込み、薬剤保持体を通して本体の側面に形成した放出口から大気に放出するようにした送風式薬剤放散装置が開示されている。
【０００４】
【特許文献１】特開２００１−１９７８５６号公報
【特許文献２】特開２００２−２２６３０５号公報
【発明の開示】
【発明が解決しようとする課題】
【０００５】
前述の特許文献１に開示された装置は、その本体の表面に吸込口が形成されていると共に、その吸込口と連続して薬剤保持体が設けてあるので、太陽光（日射）が吸込口を通して前記薬剤保持体に直接照射される度合が多く、その薬剤保持体が保持している薬剤が早期に劣化することがある。
【０００６】
このことを解消するには、特許文献２に開示された装置のように、本体の裏面に吸込口を形成し、表面を閉塞された形状とすることが考えられる。
しかし、人体の腰などの縦向きの面（以下、縦面という）に取付けて使用するので、その本体の裏面が縦面に接して裏面に形成した吸込口が縦面で閉塞され易く、空気を吸い込みづらい状態となり、薬剤を効率よく大気に放散できないことがある。
特に、人体の腰に取付けて使用する場合には、衣服によって腰部分（つまり、縦面）が柔軟で、本体が腰部分に埋まるようにして取付けられるから、裏面に形成した吸込口が閉塞され易い。
【０００７】
本発明の目的は、人体の腰、建物の壁などの縦面に取付けして使用する際に、太陽光で薬剤が早期に劣化しないと共に、薬剤を効率良く大気に放散できる縦面取付型送風式薬剤放散装置とすることである。
【課題を解決するための手段】
【０００８】
第１の発明は、本体１は上部本体１０と下部本体２０を有し、その上部本体１０の裏面１０ｃよりも下部本体２０の裏面２０ｃが表面側に位置がずれた形状で、
前記上部本体１０は、その裏面１０ｃが縦面ａに接するように取付ける取付部材２を備え、
前記下部本体２０は表面２０ａが閉塞され、裏面２０ｃが開口して吸込口５を有すると共に、周面２０ｂに放出口６を有する形状で、この下部本体２０内に送風機３、薬剤保持体４を、その送風機３を駆動することで吸込口５から空気を吸い込んで薬剤保持体４を通過して放出口６から放出されるように設けたことを特徴とする縦面取付型送風式薬剤放散装置である。
【０００９】
第２の発明は、第１の発明において、下部本体２０の裏面２０ｃの吸込口５に薬剤保持体４が挿入して取付けられ、その吸込口５に通気部を有する押え部材７を着脱自在に取付けることによって抜け落ちないように保持した縦面取付型送風式薬剤放散装置である。
【００１０】
第３の発明は、第２の発明において、上部本体１０は電池収納室８を有し、この電池収納室８の蓋８ａと押え部材７が連結されて一体として着脱自在とした縦面取付型送風式薬剤放散装置である。
【００１１】
第４の発明は、第１の発明において、下部本体２０の周面２０ｂにおける裏面２０ｃ寄りに切欠き部３０を形成し、この切欠き部３０を通して空気が吸い込みされるようにした縦面取付型送風式薬剤放散装置である。
【発明の効果】
【００１２】
請求項１に係る発明によれば、本体１を縦面ａに取付けて使用する際に、薬剤保持体４を設けた下部本体２０の表面２０ａが閉塞されているから、その下部本体２０内の薬剤保持体４に太陽光が直接照射することなく、太陽光で薬剤が早期に劣化することがない。
また、前述のようにして使用する際に、上部本体１０の裏面１０ｃが縦面ａに接し、その縦面ａと下部本体２０の裏面２０ｃが離隔して隙間が形成されるので、その隙間を通して吸込口５に空気がスムーズに流入して薬剤保持体４に必要な量の空気が通過し、薬剤を効率よく大気に放散できる。
【００１３】
請求項２に係る発明によれば、押え部材７を取り外すことで薬剤保持体４を交換できる。
【００１４】
請求項３に係る発明によれば、電池収納室８の蓋８ａと押え部材７を一体として着脱できるから、電池交換と薬剤保持体４の交換を簡単に実施できる。
特に、電池の寿命と薬剤保持体４の使用限界時期を一致させた場合には有利である。
【００１５】
請求項４に係る発明によれば、下部本体２０の裏面２０ｃと縦面ａとの間の隙間のみならず、下部本体２０の周面２０ｂに形成した切欠き部３０を通して空気を吸い込みすることができ、より多くの空気を吸い込みできる。
【発明を実施するための最良の形態】
【００１６】
本発明の第１の実施の形態を図１〜図４に基づいて説明する。
本体１は上部本体１０と下部本体２０を備えている。その上部本体１０の表面１０ａ、周面１０ｂ、裏面１０ｃは閉塞されている。下部本体２０の表面２０ａと周面２０ｂは閉塞され、かつ裏面２０ｃは開口していると共に、この裏面２０ｃは上部本体１０の裏面１０ｃよりも表面寄りに位置がずれている。
前記本体１は、上部本体１０に設けた取付部材２で人体の腰などの縦面ａに取付けられ、その上部本体１０の裏面１０ｃが縦面ａに接すると共に、下部本体２０の裏面２０ｃと縦面ａとの間に隙間ｂが生じるようにしてある。
【００１７】
前記下部本体２０の内部に、図３に示すように送風機３と薬剤保持体４が設けてあると共に、その下部本体２０の裏面２０ｃの開口部が吸込口５で、この吸込口５と薬剤保持体４が対向している。
前記下部本体２０の周面２０ｂに放出口６が形成してあり、この放出口６は前記送風機３と対向している。
【００１８】
このようであるから、本体１を図１に示すように縦面ａに取付けた状態で送風機３を駆動することで、下部本体２０の裏面２０ｃと縦面ａとの間の隙間ｂを通り吸込口５に空気が流れ、その空気は薬剤保持体４を通過して放出口６から大気に放出される。
したがって、下部本体２０の裏面２０ｃが縦面ａに接して吸込口５が閉塞されることがなく、必要な量の空気が薬剤保持体４を通過して流れるので、薬剤を効率良く大気に放散できる。
【００１９】
しかも、薬剤保持体４を設けた下部本体２０の表面２０ａは閉塞されているので、太陽光が薬剤保持体４に直接照射されることがなく、太陽光で薬剤が早期に劣化することがない。
特に、送風機３を表面２０ａ寄りに設け、薬剤保持体４を裏面２０ｃ寄りに設けると共に、放出口６を送風機３と対向した位置に形成することで、薬剤保持体４に太陽光が直接照射されることを確実に防止できる。
【００２０】
前記送風機３はモータ３ａでファン３ｂを回転駆動するもので、そのファン３ｂが薬剤保持体４と対向している。
前記薬剤保持体４は、下部本体１０の裏面１０ｃの開口部、つまり吸込口５から挿入して取付けられ、通気部を有する押え部材７を吸込口５に着脱自在に取付けることによって抜け落ちないように保持される。
例えば、前記押え部材７を筒体７ａの内周面に押え片７ｂを設けた形状とし、その筒体７ａの内周面に薬剤保持体４を嵌合して取付け、その筒体７ａの外周面を下部本体２０の開口部（吸込口５）に嵌合して外れないように保持する。
このようであるから、押え部材７を嵌合、離脱することで薬剤保持体４を交換できる。
【００２１】
この実施の形態では、上部本体１０は電池収納室８を有し、その電池収納室８を開閉する蓋８ａと前記押え部材７が一体に連結している。
このようであるから、蓋８ａと押え部材７を同時に取付け、取り外しすることで電池９を交換したり、薬剤保持体４を交換できる。
特に電池９の寿命と薬剤保持体４の使用限界時期を同一とし、電池９の電力が無くなった時に薬剤保持体４の薬効が無くなるようにした場合には、電池９の交換と薬剤保持体４の交換を同時に行うので、前述のように蓋８ａと押え部材７を同時に取付け、取り外しできるようにすれば、便利である。
【００２２】
また、薬剤保持体４は容器４ａ内にプレート状の薬剤担持体４ｂを設け、押えプレート４ｃで保持したもので、その容器４ａ、押えプレート４ｃの開口部分を通して薬剤担持体４ｂに空気が流通する。
【００２３】
次に、各部材の具体形状を説明する。
前記上部本体１０は、表面板１１と周面板１２と裏面板１３で電池収納室８を有する箱形状、好ましくは、表面板１１と裏面板１３が矩形状、周面板１２が矩形筒形状で、矩形箱形状である。
前記裏面板１３は上下揺動自在で、前述の蓋８ａとしてある。例えば、周面板１２の上部に突片１４を一体的に設けると共に、裏面板１３の上部に突片１５を一体的に設け、その突片１４と突片１５をピン１６で連結して裏面板１３を上下揺動自在としてある。
このようであるから、裏面板１３を上下揺動することで電池収納室８を開閉することができる。
【００２４】
前記下部本体２０は、表面板２１と周面板２２で裏面が開口した箱形状で、裏面の開口部が吸込口５である。好ましくは表面板２１が円形状で、周面板２２が円形筒状で、円形箱形状で、吸込口５は円形である。
この下部本体２０の周面板２２の上部と前記上部本体１０の下部が一体的に連結されて本体１としてある。
前記下部本体２０の表面板２１の裏面に送風機３（モータ３ａ）が取付けられ、周面板２２の表面寄りに放出口６が形成されている。
【００２５】
前記押え部材７の筒体７ａは下部本体２０の周面板２２の内面に嵌合する形状で、その筒体７ａの裏面をプレートで閉塞し、かつそのプレートに開口部を形成して、プレートの残存した部分を前述の押え片７ｂとしてある。
そして、この押え部材７の筒体７ａが前記蓋８ａ（裏板１３）の下部に連結片２３で一体的に連結され、蓋８ａを閉じた時にプレート（押え部材７の裏面）が下部本体２０の裏面２０ｃと面一となるようにしてある。
【００２６】
前記取付部材２は弾力性を有するフック２ａで、人体のベルトに係止して上部本体１０を取付ける。
このようにして上部本体１０を取付けることで、その裏面１０ｃが人体の腰（前述の縦面ａ）に接し、下部本体２０の裏面２０ｃが人体の腰（前述の縦面ａ）と離隔して隙間ｂが形成される。
また、本体１を縦面ａに取付ける場合、前述のように上部本体１０を縦面ａの上方向に位置するように取付けているが、例えば建物の壁面（玄関などの出入口やペット小屋の出口）などでは、上部本体１０を縦面ａの下方向や斜め上下方向などに位置するように取付けても良いことは勿論である。
【００２７】
次に、他の実施の形態について説明する。
前記取付部材２はフック２ａに限ることはなく、上部本体１０を縦面ａに設けた係止突部に係止して吊り下げるように取付けるもの、あるいは縦面ａに釘などで固着して取付けるもの、または両面テープ、接着剤などのように縦面ａに接着するものであっても良い。
例えば、図５に示すように上部本体１０の上面にプレート２ｂを設け、このプレート２ｂの穴２ｃを係止突起に係止して吊り下げたり、釘を挿通して縦面ａに固着する。
【００２８】
前記蓋８ａと押え部材７を本体１に上下揺動ではなく、弾性を利用して係合、離脱自在に本体１に取付けても良い。
また、蓋８ａと押え部材７を別部材としてそれぞれ着脱自在に取付けても良い。この場合には蓋８ａは上部本体１０の裏面１０ｃに限らず、表面１０ａ、周面１０ｂに設けても良い。
例えば、図５に示すように上部本体１０の裏面板１３を周面板１２と一体とし、表面板１１に開口部を形成して蓋８ａを着脱自在に取付ける。
前述の押え部材７を下部本体２０の開口部（吸込口５）に螺合して着脱自在に取付ける。
なお、前記取付部材２、蓋８ａ、押え部材７は図５に示すように組み合わせて使用する必要はなく、図５に示すものを適宜組み合わせて使用しても良いことは勿論である。
【００２９】
前記電池収納室８は下部本体２０に設けても良い。
例えば、図６に示すように、下部本体２０の表面２０ａ（表面板２１）に電池収納室８を形成する。
このようにした場合には上部本体１０を任意の形状とすることができる。例えば、表面１０ａを水切りのために傾斜した形状とすることができる。
すなわち、上部本体１０は、本体１を縦面ａに接して支持できる裏面１０ｃを有すると共に、取付部材２を有した形状であれば良い。
また、電池収納室８の電池９の収納状態として、前述のように縦方向に並べて収納しているが、横方向に並べて、又は重ねて収納しても良いことは勿論である。
【００３０】
前述の各実施の形態では、下部本体２０の裏面２０ｃからのみ空気を吸い込むようにしたが、下部本体２０の周面２０ｂ（周面板２２）における裏面２０ｃ寄りの一部分に切欠き部を形成し、この切欠き部を通しても空気を吸い込みできるようにしても良い。
例えば、図７〜図９に示すように、下部本体２０の周面板２２の裏面２０ｃ寄り部分の径方向に対向した２つの部分に切欠き部３０を形成し、押え部材７の押え片７ｂにおける前記切欠き部３０と対向した部分に切欠き部３１を形成する。
【００３１】
このようにすれば、切欠き部３０と切欠き部３１を通して薬剤保持体４まで空気が流れるので、より多くの空気を吸い込みできる。
【図面の簡単な説明】
【００３２】
【図１】本発明の第１の実施の形態を示す側面図である。
【図２】本発明の第１の実施の形態を示す正面図である。
【図３】本発明の第１の実施の形態を示す縦断面図である。
【図４】本発明の第１の実施の形態を示す背面図である。
【図５】本発明の第２の実施の形態を示す縦断面図である。
【図６】本発明の第３の実施の形態を示す縦断面図である。
【図７】本発明の第３の実施の形態を示す側面図である。
【図８】本発明の第３の実施の形態を示す縦断面図である。
【図９】本発明の第３の実施の形態を示す背面図である。
【符号の説明】
【００３３】
１…本体、２…取付部材、３…送風機、４…薬剤保持体、５…吸込口、６…放出口、７…押え部材、８…電池収納室、８ａ…蓋、９…電池、１０…上部本体、１０ａ…表面、１０ｂ…周面、１０ｃ…裏面、２０…下部本体、２０ａ…表面、２０ｂ…周面、２０ｃ…裏面、２１…表面板、２２…周面板、３０…切欠き部、３１…切欠き部。
【図１】
0004790353.tif 000002
【図２】
0004790353.tif 000003
【図３】
0004790353.tif 000004
【図４】
0004790353.tif 000005
【図５】
0004790353.tif 000006
【図６】
0004790353.tif 000007
【図７】
0004790353.tif 000008
【図８】
0004790353.tif 000009
【図９】
0004790353.tif 000010